(57)【要約】【課題】扉の一方側が火炎に晒されて加熱されても扉が湾曲しにくい建具を提供する。【解決手段】開口を形成する開口枠と、開口枠に係合する錠部材を備え開口枠に回動自在に支持された扉と、を有する建具であって、開口枠には、扉の見込み方向における一方側に戸当り部が設けられており、扉は、四周枠組みされた扉枠と、扉枠の室内側及び室外側に設けられ互いに対面するスチール製の一対の表面材と、扉が開口枠に支持された状態で戸先となる部位に設けられるアルミニウム製のエッジ材と、を有し、一方側の表面材は、扉枠より戸先側に突出し見込み方向においてエッジ材の一方側に配置される戸先突出部を有する。【選択図】図３
2018178407.tif 000002
【特許請求の範囲】
【請求項１】
室内外を連通する開口を形成する開口枠と、
前記開口枠に係合する錠部材を備え前記開口枠に回動自在に支持された扉と、
を有する建具であって、
前記開口枠には、前記扉の見込み方向における一方側に戸当り部が設けられており、
前記扉は、四周枠組みされた扉枠と、
前記扉枠の室内側及び室外側に設けられ互いに対面するスチール製の一対の表面材と、
前記扉が前記開口枠に支持された状態で戸先側となる部位に設けられるアルミニウム製のエッジ材と、
を有し、
前記一方側の前記表面材は、前記扉枠より戸先側に突出し見込み方向において前記エッジ材の前記一方側に配置される戸先突出部を有することを特徴とする建具。
【請求項２】
請求項１に記載の建具であって、
前記戸先突出部は、
前記表面材において前記扉枠の前記一方側に位置する表面材本体部から戸先方向に延出された戸先延出部と、
前記戸先延出部と見込み方向に間隔を隔てて対向する戸先対向部と、
を有していることを特徴とする建具。
【請求項３】
請求項１または請求項２に記載の建具であって、
前記錠部材は、前記エッジ材を介して前記扉枠に固定される台座部と、
前記台座部から出没可能に設けられた錠本体と、
を有し、
前記戸先突出部は、吊り元側に窪み前記台座部が収容される凹部を前記エッジ材とともに形成し、前記凹部に収容された前記台座部の前記一方側を覆うことを特徴とする建具。
【請求項４】
請求項１乃至請求項３のいずれかに記載の建具であって、
前記戸先突出部は、見込み方向における他方側に延出されて前記扉枠と対向する扉枠対向部を有し、
前記扉枠対向部が、前記エッジ材と前記扉枠とに挟持されることを特徴とする建具。
【発明の詳細な説明】
【技術分野】
【０００１】
本発明は、開口を形成する開口枠に回動自在に支持された扉を有する建具に関する。
【背景技術】
【０００２】
開口を形成する開口枠に回動自在に支持された扉を有する建具としては、たとえば、
躯体に取り付けられて開口を形成する枠体と、枠体に蝶番を介して屋外側に開閉可能に吊り込まれる玄関ドアを備えた建具が知られている（例えば、特許文献１参照）。
玄関ドアは、鉄製の内側表面材及び外側表面材と、吊元側、戸先側、上下に設けられる鉄製の各芯材と、戸先側の芯材の戸先側に見込み方向に沿って設けられるフレームとを有している。また、玄関ドアは、閉じたときに、周端部が枠体から内周側に突出された突出片に設けられたパッキンに屋外側から当接されている。
【先行技術文献】
【特許文献】
【０００３】
【特許文献１】特開２０１５−８６６６８号公報
【発明の概要】
【発明が解決しようとする課題】
【０００４】
上述した玄関ドアは、屋内側を火元とする火災等により屋内側から加熱されると、フレームの屋内側が、屋外側より大きく熱延びする。このとき、玄関ドアの戸先側は、シリンダー錠のデッドボルトやラッチ錠が枠体と係合しているので、加熱された玄関ドアは、戸先側の上端部側と下端部側とが屋外側に張り出すように湾曲し、屋内側の火炎が屋外側に貫通する虞があるという課題がある。
【０００５】
本発明は、かかる課題に鑑みてなされたものであり、その目的とするところは、扉の一方側が火炎に晒されて加熱されても扉が湾曲しにくい建具を提供することにある。
【課題を解決するための手段】
【０００６】
かかる目的を達成するために本発明の建具は、室内外を連通する開口を形成する開口枠と、前記開口枠に係合する錠部材を備え前記開口枠に回動自在に支持された扉と、を有する建具であって、前記開口枠には、前記扉の見込み方向における一方側に戸当り部が設けられており、前記扉は、四周枠組みされた扉枠と、前記扉枠の室内側及び室外側に設けられ互いに対面するスチール製の一対の表面材と、前記扉が前記開口枠に支持された状態で戸先側となる部位に設けられるアルミニウム製のエッジ材と、を有し、前記一方側の前記表面材は、前記扉枠より戸先側に突出し見込み方向において前記エッジ材の前記一方側に配置される戸先突出部を有することを特徴とする建具である。
【０００７】
このような建具によれば、扉枠の戸先側に設けられるアルミニウム製のエッジ材の、見込み方向における一方側に、スチール製の表面材の戸先突出部が配置されているので、室内側の一方側にて火災が発生しても、エッジ材が火炎に直接晒されることはない。このため、エッジ材の室内側と室外側とで熱伸び量に差が生じ難く、扉に反りが生じ難いので、扉の一方側が火炎に晒されて加熱されても扉が湾曲しにくい建具を提供することが可能である。
【０００８】
かかる建具であって、前記戸先突出部は、前記表面材において前記扉枠の前記一方側に位置する表面材本体部から戸先方向に延出された戸先延出部と、戸先延出部と見込み方向に間隔を隔てて対向する戸先対向部と、を有していることが望ましい。
【０００９】
このような建具によれば、アルミニウム製のエッジ材の、見込み方向における一方側に配置された戸先突出部の戸先延出部と戸先対向部との間に空隙が形成される。このため、空隙によりエッジ材の一方側に断熱層が形成されるため、エッジ材に熱がより伝わり難くなり、エッジ材の一方側の熱延びを抑制し扉の湾曲をより抑制することが可能である。
【００１０】
かかる建具であって、前記錠部材は、前記エッジ材を介して前記扉枠に固定される台座部と、前記台座部から出没可能に設けられた錠本体と、を有し、前記戸先突出部は、吊り元側に窪み前記台座部が収容される凹部を前記エッジ材とともに形成し、前記凹部に収容された前記台座部の前記一方側を覆うことが望ましい。
【００１１】
このような建具によれば、錠部材の台座部が一方側の表面材の戸先突出部により覆われるため扉を開いたときにも台座部が視認されにくい。このため、意匠性にも優れた建具を提供することが可能である。
【００１２】
かかる建具であって、前記戸先突出部は見込み方向における他方側に延出されて前記扉枠と対向する扉枠対向部を有し、前記扉枠対向部が、前記エッジ材と前記扉枠とに挟持されることが望ましい。
【００１３】
このような建具によれば、戸先突出部の他方側に延出されている扉枠対向部がエッジ材と扉枠とに挟持されるので、戸先突出部が変形し難く、エッジ材の一方側に、より確実に配置しておくことが可能である。
【発明の効果】
【００１４】
本発明によれば、扉の一方側が火炎に晒されて加熱されても扉が湾曲しにくい建具を提供することが可能である。
【図面の簡単な説明】
【００１５】
【図１】本実施形態に係る建具の縦断面図である。
【図２】本実施形態に係る建具の横断面図である。
【図３】玄関ドアの戸先部を示す横断面図である。
【図４】戸先に設けられている錠部材を戸先側から見た図である。
【発明を実施するための形態】
【００１６】
以下、本発明の一実施形態に係る建具について図面を参照して説明する。
本実施形態では、図１、図２に示すように、扉として玄関ドア３を備えた建具１を例に挙げて説明する。
【００１７】
以下の説明においては、例えば、建具１が躯体に取り付けられた状態を屋内側から見たときに、上下となる方向を上下方向、閉じた玄関ドア３の幅となる方向を左右方向、屋内外方向を見込み方向として示す。また、建具１を構成する各部材及び各部位については、単体の状態であっても建具１が躯体に取り付けられて玄関ドア３が閉じている状態で上下方向、左右方向、見込み方向等となる方向にて方向を特定して説明する。
【００１８】
本実施形態の建具１は、矩形状に枠組みされて躯体（不図示）に固定され、屋内外を連通する開口１ａを形成する開口枠２と、開口枠２に蝶番１０を介して回動自在に支持された玄関ドア３と、を有している。
【００１９】
開口枠２は、上枠２１、下枠２２および左右の縦枠２３、２４を有し、上枠２１、下枠２２および縦枠２３、２４には、見込み方向における中央より屋内側の部位から、矩形状の内側に突出する内側突出部２１ａ、２２ａ、２３ａ、２４ａが各々設けられている。躯体に取り付けられた状態では、各内側突出部２１ａ、２２ａ、２３ａ、２４ａは、見込み方向において同じ位置に配置され同一面を形成すると共に、屋外側に軟質合成樹脂製の戸当り材４が設けられている。戸当り材４には、開口枠２に取り付けられた玄関ドア３が閉じられたときに、当該玄関ドアの周端部が屋外側から当接される。戸当り材４を備えた内側突出部２１ａ、２２ａ、２３ａ、２４ａが戸当り部に相当する。
【００２０】
玄関ドア３は、左右の縦枠２３、２４のうちの、図２において左側に位置する縦枠２３に蝶番１０を介して取り付けられており、図２において右側に位置する縦枠２４には、玄関ドア３の戸先に設けられている錠部材３５のラッチ３５ａ及び鉤部３５ｂと係合する受け部材５が設けられている。以下の説明においては、図２において左側に位置する縦枠を吊元側縦枠２３とし、図２において右側に位置する縦枠を戸先側縦枠２４として説明する。
【００２１】
玄関ドア３は、閉じた状態で開口枠２の内周側に配置され、四周枠組みされて矩形状をなすスチール製の扉枠３１と、扉枠３１の屋内側及び屋外側にそれぞれ設けられ互いに対面するスチール製の一対の表面材３２、３３と、開口枠２に支持された状態で扉枠３１の戸先側となる部位に設けられるアルミニウム製のエッジ材３４と、エッジ材３４を介して扉枠３１に固定される錠部材３５と、を有している。
【００２２】
扉枠３１は、玄関ドア３の上部に設けられる上扉枠３１１と、玄関ドア３の下部に設けられる下扉枠３１２と、玄関ドア３の戸先側に設けられる戸先枠３１３と、玄関ドア３の吊り元側に設けられる吊元枠３１４とを有し、各々断面がコ字状をなしている。上扉枠３１１、下扉枠３１２、戸先枠３１３および吊元枠３１４はいずれもコ字状の開放されている側が、扉枠３１の中央側を向くように接合されている。
【００２３】
矩形状に接合された扉枠３１の屋外側に設けられる表面材３２は、周端部が扉枠３１の外周に沿って屋内側に向かって折り曲げられており、屋内側に設けられる表面材３３は、周端部のうち、上部、下部および吊り元側の部位は、扉枠３１の外周に沿って屋外側に向かって折り曲げられており、戸先側の部位は、扉枠３１より戸先側、すなわち戸先側縦枠２４側に突出する戸先突出部３３ａが設けられている。ここで、屋内側の表面材３３は、扉枠３１の屋内側に位置して、戸先枠３１３より戸先側縦枠２４側に突出していない部位が表面材本体部３３ｂに相当する。
【００２４】
図３に示すように、戸先突出部３３ａは、表面材本体部３３ｂから戸先側縦枠２４側となる戸先側に延出された戸先延出部３３ｃと、戸先延出部３３ｃと見込み方向において間隔を空けて対向する戸先対向部３３ｄと、戸先延出部３３ｃと戸先対向部３３ｄとの戸先側の縁を連結する戸先連結部３３ｅと、戸先対向部３３ｄの吊り元側の縁から屋外側に延出され戸先枠３１３の見込み面３１３ａと対面する扉枠対向部としての戸先枠対面部３３ｆと、を有している。
【００２５】
戸先枠対面部３３ｆは、屋内側の表面材３３が扉枠３１に取り付けられた状態で、戸先枠３１３の見込み面３１３ａに当接、或いは、当接しない程度に近接している。このため、玄関ドア３の戸先枠３１３より戸先側には、戸先延出部３３ｃ、戸先連結部３３ｅ、戸先対向部３３ｄおよび見込み面３１３ａにより空隙Ｓが形成されている。
【００２６】
エッジ材３４は、押出成形部材であり、玄関ドア３の全長に渡って設けられている。エッジ材３４は、戸先枠３１３の見込み面３１３ａと間隔を空けて設けられる戸先見込壁部３４ａと、戸先見込壁部３４ａの屋外側の縁から戸先側に延出された屋外戸先延出部３４ｂと、戸先見込壁部３４ａの屋内側の縁から見込み面３１３ａ側に突出する屋内戸先突出片３４ｃと、戸先見込壁部３４ａの見込み方向における中央から振り分けた位置から見込み面３１３ａ側に突出する２つの突出片３４ｄと、屋外戸先延出部３４ｂから見込み方向に沿って屋外側に延出された屋外延出部３４ｅと、屋外延出部３４ｅから見込み面３１３ａ側に突出し屋外側の表面材３２に屋外側から当接される屋外当接片３４ｆと、屋外戸先延出部３４ｂと屋外当接片３４ｆとの間にて見込み面３１３ａ側に突出する屋外戸先突出片３４ｇと、屋外延出部３４ｅの屋外側の縁から戸先側に延出されて玄関ドア３と戸先枠３１３との間を屋外側から覆う屋外カバー部３４ｈと、を有している。
【００２７】
エッジ材３４は、屋外当接片３４ｆが屋外側の表面材３２に屋外側から当接されるとともに、２つの突出片３４ｄの先端が戸先枠３１３の見込み面３１３ａに当接される状態に位置決めされ、２つの突出片３４ｄの間を戸先側から進入するビスが戸先枠３１３に螺合されて取り付けられている。このとき、エッジ材３４は、屋内側の表面材３３の戸先突出部３３ａの屋外側に位置している。より具体的には、屋内戸先突出片３４ｃが戸先突出部３３ａの戸先対向部３３ｄに当接、或いは、当接しない程度に近接している。
【００２８】
また、屋外戸先突出片３４ｇは、屋外側の表面材３２において見込み面３１３ａ側に折り曲げられている部位に戸先側から当接され、屋内戸先突出片３４ｃは、屋内側の表面材３３の戸先突出部３３ａが有する戸先枠対面部３３ｆに戸先側縦枠２４側から当接されている。すなわち、屋外側の表面材３２において見込み面３１３ａ側に折り曲げられている部位は、屋外戸先突出片３４ｇと見込み面３１３ａとに挟持されており、屋内側の表面材３３の戸先枠対面部３３ｆは、屋内戸先突出片３４ｃと見込み面３１３ａとに挟持されている。
【００２９】
エッジ材３４が取り付けられた状態で、玄関ドア３の戸先には、エッジ材３４の戸先見込壁部３４ａ、屋外戸先延出部３４ｂおよび屋内側の表面材３３の戸先対向部３３ｄにより吊り元側に窪む凹部３ａが設けられている。
【００３０】
凹部３ａには、錠部材３５が取り付けられている。錠部材３５は、凹部３ａに収容され戸先見込壁部３４ａを介して戸先枠３１３にビス止めされる台座部３５ｃと、台座部３５ｃから出没自在に設けられたラッチ３５ａ及び鉤部３５ｂを有している。玄関ドア３は、閉じたときにラッチ３５ａが戸先側縦枠２４に設けられた受け部材５と係合して閉じた状態が維持され、鉤部３５ｂが鍵により回動されて受け部材５と係合することにより施錠されるように構成されている。錠部材３５は取り付けられた状態で、台座部３５ｃが屋内側から戸先突出部３３ａにより覆われている。
【００３１】
本実施形態の建具１によれば、扉枠３１の戸先側に設けられるアルミニウム製のエッジ材３４の、見込み方向における、屋内側に、スチール製の表面材３３の戸先突出部３３ａが配置されているので、屋内側にて火災が発生しても、エッジ材３４が火炎に直接晒されることはない。このため、エッジ材３４の室内側と室外側とで熱伸び量に差が生じ難く、玄関ドア３に反りが生じ難いので、玄関ドア３の屋内側が火炎に晒されて加熱されても玄関ドア３が湾曲しにくい建具１を提供することが可能である。
【００３２】
また、たとえ屋内側からの火炎により戸先側縦枠２４の内側突出部２４ａに設けられている戸当り材４が溶融して、屋内側の表面材３３と内側突出部２４ａの間に隙間が生じたとしても、エッジ材３４の屋内側に設けられている戸先突出部３３ａによりエッジ材３４が加熱されることを抑制することが可能である。
【００３３】
上記実施形態では、玄関ドア３が屋外側に移動して開放される建具１を例に挙げ火元を屋内側に設定して説明しているが、火元が屋外側の場合には、玄関ドア３に屋外側膨張するように変形が生じたとしても、開口枠２が有する内側突出部２１ａ、２２ａ、２３ａ、２４ａに玄関ドア３の外周部が当接されることにより、火元が屋内側の場合より変形が抑えられる。このため、屋外側に移動して開放される建具１の場合には、変形がより大きく生じる火元となる屋内側が、戸先突出部３３ａが設けられる、見込み方向における一方側に相当し、屋内側に移動して開放される建具１の場合には、変形がより大きく生じる火元となる屋外側が、戸先突出部３３ａが設けられる、見込み方向における一方側とすることが望ましい。
【００３４】
また、アルミニウム製のエッジ材３４の屋内側に配置された戸先突出部３３ａの戸先延出部３３ｃと戸先対向部３３ｄとの間に空隙Ｓが形成されているので、空隙Ｓにより断熱層が形成され、エッジ材３４に熱がより伝わり難くなる。このため、エッジ材３４の屋内側の熱延びを抑制し玄関ドア３の湾曲をより抑制することが可能である。
【００３５】
また、錠部材３５の台座部３５ｃが屋内側の表面材３３の戸先突出部３３ａにより覆われるため玄関ドア３を開いたときにも台座部３５ｃが視認されにくい。このため、意匠性にも優れた建具１を提供することが可能である。
【００３６】
また、戸先突出部３３ａの戸先対向部３３ｄより屋外側に延出されている戸先枠対面部３３ｆがエッジ材３４と戸先枠３１３とに挟持されているので、戸先突出部３３ａが変形し難く、エッジ材３４の屋内側に、より確実に配置しておくことが可能である。
【００３７】
上記実施形態においては、屋内外の間に設けられる玄関ドア３を備えた建具１を例に挙げて説明したが、これに限らず、室内外の間に設けられる扉を備えた建具であっても構わない。
【００３８】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３９】
建具、１ａ  開口、２  開口枠、３  玄関ドア、３ａ  凹部、４  戸当り材、
２４  戸先側縦枠（縦枠）、２４ａ  内側突出部、３１  扉枠、
３３  屋内側の表面材、３３ａ  戸先突出部、３３ｂ  表面材本体部、
３３ｃ  戸先延出部、３３ｄ  戸先対向部、３３ｆ  戸先枠対面部、３４  エッジ材、
３５  錠部材、３５ｃ  台座部、
Ｓ  空隙
【図１】
2018178407.tif 000003
【図２】
2018178407.tif 000004
【図３】
2018178407.tif 000005
【図４】
2018178407.tif 000006